(57)【要約】【課題】発光面積の大きな発光装置及び照明器具を提供する。【解決手段】実施形態によれば、基板と、第１電極膜と、第２電極膜と、有機層と、を含む発光装置が提供される。前記基板は、第１主面を有する基板であって、前記第１主面に対して交差する第１方向において前記基板を貫通する貫通孔を有し、前記貫通孔の周りに設けられ第１部分と第２部分とを含む内側部と、前記内側部の周りに設けられた外側部と、を含む。前記第１電極膜は、前記第１主面の上に設けられ、前記第１主面へ投影したときに前記第１部分と重なる第１端子領域と、前記第１主面へ投影したときに前記外側部と重なる第１領域と、を含む。前記第２電極は、前記第１主面の上に設けられ、前記第１主面へ投影したときに前記第２部分と重なる第２端子領域と、前記第１領域と前記外側部との間に設けられた第２領域と、を含む。前記有機層は、前記第１領域と前記第２領域との間に設けられ、発光層を含む。【選択図】図１
2015065070.tif 000002
【特許請求の範囲】
【請求項１】
第１主面を有する基板であって、前記第１主面に対して交差する第１方向において前記基板を貫通する貫通孔を有し、前記貫通孔の周りに設けられ第１部分と第２部分とを含む内側部と、前記内側部の周りに設けられた外側部と、を含む基板と、
前記第１主面の上に設けられ、前記第１主面へ投影したときに前記第１部分と重なる第１端子領域と、前記第１主面へ投影したときに前記外側部と重なる第１領域と、を含む第１電極膜と、
前記第１主面の上に設けられ、前記第１主面へ投影したときに前記第２部分と重なる第２端子領域と、前記第１領域と前記外側部との間に設けられた第２領域と、を含む第２電極膜と、
前記第１領域と前記第２領域との間に設けられ、発光層を含む有機層と、
を備えた発光装置。
【請求項２】
前記外側部を前記第１主面へ投影したときに、前記外側部の外縁は、円形である請求項１または２に記載の発光装置。
【請求項３】
前記基板を前記第１主面へ投影したときに、前記貫通孔は、前記円形の中心部に設けられた請求項２に記載の発光装置。
【請求項４】
請求項１〜３のいずれか１つに記載の発光装置と、
前記貫通孔を通過する貫通部材を含む照明器具本体と、
を備えた照明器具。
【発明の詳細な説明】
【技術分野】
【０００１】
本発明の実施形態は、発光装置及び照明器具に関する。
【背景技術】
【０００２】
例えば、ＯＬＥＤ（Organic Light Emitting Diode）を光源とする発光装置及び照明器具がある。発光面積の大きな発光装置及び照明器具が望まれる。
【先行技術文献】
【特許文献】
【０００３】
【特許文献１】特開２０１１−３１３４１号公報
【発明の概要】
【発明が解決しようとする課題】
【０００４】
本発明の実施形態は、発光面積の大きな発光装置及び照明器具を提供する。
【課題を解決するための手段】
【０００５】
本発明の実施形態によれば、基板と、第１電極膜と、第２電極膜と、有機層と、を含む発光装置が提供される。前記基板は、第１主面を有する基板であって、前記第１主面に対して交差する第１方向において前記基板を貫通する貫通孔を有し、前記貫通孔の周りに設けられ第１部分と第２部分とを含む内側部と、前記内側部の周りに設けられた外側部と、を含む。前記第１電極膜は、前記第１主面の上に設けられ、前記第１主面へ投影したときに前記第１部分と重なる第１端子領域と、前記第１主面へ投影したときに前記外側部と重なる第１領域と、を含む。前記第２電極膜は、前記第１主面の上に設けられ、前記第１主面へ投影したときに前記第２部分と重なる第２端子領域と、前記第１主面へ投影したときに前記第１領域と前記外側部との間に設けられた第２領域と、を含む。前記有機層は、前記第１領域と前記第２領域との間に設けられ、発光層を含む。
【発明の効果】
【０００６】
本発明の実施形態によれば、発光面積の大きな発光装置及び照明器具が提供される。
【図面の簡単な説明】
【０００７】
【図１】図１（ａ）及び図１（ｂ）は、実施形態に係る発光装置を示す模式的断面図である。
【図２】図２（ａ）〜図２（ｃ）は、実施形態に係る発光装置を示す模式的平面図である。
【図３】図３（ａ）〜図３（ｃ）は、実施形態に係る発光装置を用いた照明器具を示す模式図である。
【発明を実施するための形態】
【０００８】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００９】
（第１の実施形態）  
図１（ａ）及び図１（ｂ）は、実施形態に係る発光装置を例示する模式的断面図である。  
図２（ａ）〜図２（ｃ）は、実施形態に係る発光装置を例示する模式的平面図である。  図１（ａ）は、図２（ａ）〜図２（ｃ）のＡ１−Ａ２線断面図である。図１（ｂ）は、図２（ａ）〜図２（ｃ）のＢ１−Ｂ２線断面図である。
【００１０】
図１（ａ）及び図１（ｂ）に表したように、発光装置１２０は、基板２０と、第１電極膜２７と、第２電極膜２８と、有機層３０と、を含む。
【００１１】
基板２０は、第１主面２０ｐを有する。例えば、第１主面２０ｐの上に第１電極膜２７が設けられる。第２電極膜２８は、第１電極膜２７と基板２０との間に設けられる。有機層３０は、第１電極膜２７と第２電極膜２８との間に設けられる。基板２０の上に、透明封止部材２４が設けられる。基板２０と透明封止部材２４との間に、封止体２５が設けられる。
【００１２】
透明封止部材２４として、ガラス基板及び透明樹脂の少なくともいずれかが用いられる。封止体２５には、例えば樹脂が用いられる。封止体２５は、基板２０と透明封止部材２４との間の領域の周囲に連続して設けられている。
【００１３】
基板２０から有機層３０へ向かう方向をＺ軸方向とする。Ｚ軸方向に対して垂直な１つの方向をＸ軸方向とする。Ｚ軸方向に対して垂直で、Ｘ軸方向に対して垂直な方向をＹ軸方向とする。例えば、第１主面２０ｐは、Ｚ軸方向に対して垂直である。
【００１４】
有機層３０には、正孔輸送層３１と、発光層３２と、電子輸送層３３と、が設けられる。第２電極膜２８上に正孔輸送層３１が設けられる。正孔輸送層３１上に発光層３２が設けられる。発光層３２上に電子輸送層３３が設けられる。  
基板２０は、光透過性である。基板２０は、例えば、透明基板である。例えば、基板２０として、ガラス基板が用いられる。基板２０は、透明樹脂基板でも良い。
【００１５】
第２電極膜２８は、例えば、光透過性である。第２電極膜２８は、例えば透明電極である。第２電極膜２８には、例えば、ＩＴＯ（Indium Tin Oxide）、ＩＺＯ（Indium Zinc Oxide）または導電性高分子などが用いられる。
【００１６】
例えば、第１電極膜２７の光透過率は、例えば、第２電極膜２８の光透過率よりも低い。第１電極膜２７は、例えば、非光透過性である。第１電極膜２７には、例えば、銀（Ａｇ）膜またはアルミニウム（Ａｌ）膜などが用いられる。
【００１７】
発光装置１２０においては、例えば、第１電極膜２７から、電子輸送層３３を介して、発光層３２へ電子が注入される。例えば、第２電極膜２８から、正孔輸送層３１を介して、発光層３２へ正孔が注入される。発光層３２において、注入された電子と正孔とが、再結合する。再結合の際に発生するエネルギーによって、発光層３２から光が放出される。
【００１８】
本明細書において、「透明」とは、発光層３２の発光光に対して透過性を有することを表す。「透明」とは、光透過率が１００％であることには限らない。例えば、波長５５０ｎｍにおける透過率が２０％以上、望ましくは３０％以上であることを意味する。発光層３２は、可視光を発光する。「透明」とは、リモートコントローラの送信信号や、人感センサの検知対象光などに対する透過性を有することも表す。例えば、「透明」とは、赤外線に対して透過性を有することも表す。
【００１９】
「不透明」とは、発光層３２の発光光に対して遮光性または反射性を有することを表す。「不透明」とは、発光層３２の発光光に対する透過率が０％であることには限らない。「不透明」とは、「透明」な領域よりも透過率が相対的に低い場合も表す。例えば、波長５５０ｎｍにおける透過率が２０％以下、望ましくは１５％以下であることを意味する。
【００２０】
本実施形態に係る発光装置１２０には、発光装置１２０をＺ軸方向に貫通する孔が設けられている。  
基板２０は、貫通孔２０ｈを有する。貫通孔２０ｈは、第１主面２０ｐに対して垂直な方向に基板２０を貫通する。
【００２１】
図２（ａ）は、基板２０の平面形状（パターン）を例示している。基板２０は、内側部２０ｉと外側部２０ｅとを含む。貫通孔２０ｈの周りに内側部２０ｉが設けられる。外側部２０ｅは、内側部２０ｉの周りに設けられる。内側部２０ｉは、第１部分２０ａと第２部分２０ｂとを含む。
【００２２】
図１（ａ）に表したように、第１電極膜２７は、第１端子領域２７ｉと第１領域２７ｅとを含む。第１端子領域２７ｉは、基板２０の第１主面２０ｐの一部にも設けられる。第１端子領域２７ｉは、第１部分２０ａから有機層３０の側面を覆うように連続して設けられる。第１端子領域２７ｉは、第１領域２７ｅと電気的に接続されている。
【００２３】
第１端子領域２７ｉと有機層３０の側面との間、及び第１端子領域２７ｉと第２電極膜２８との間には、絶縁膜２６が設けられる。
【００２４】
第１端子領域２７ｉを第１主面２０ｐへ投影したとき、第１端子領域２７ｉは、第１部分２０ａと重なる。第１領域２７ｅを第１主面２０ｐへ投影したとき、第１領域２７ｅは、外側部２０ｅの一部と重なる。
【００２５】
図１（ｂ）に表したように、第２電極膜２８は、第２端子領域２８ｉと第２領域２８ｅとを含む。第２領域２８ｅは、基板２０の外側部２０ｅと第１領域２７ｅとの間に設けられる。第２端子領域２８ｉは、第２部分２０ｂと重なるように設けられる。第２端子領域２８ｉを第１主面２０ｐへ投影したとき、第２端子領域２８ｉは、第２部分２０ｂと重なる。第２端子領域２８ｉは、第２領域２８ｅと電気的に接続されている。第２領域２８ｅは、第１領域２７ｅと電気的に絶縁されている。
【００２６】
有機層３０は、第１領域２７ｅと第２領域２８ｅとの間に設けられる。  
図２（ｂ）は、第１電極膜２７の平面形状（パターン）を例示している。  
この例では、第１電極膜２７をＺ軸方向に貫通する孔２７ｈが設けられている。第１電極膜２７は、第１端子領域２７ｉと、第１領域２７ｅとを含む。
【００２７】
図２（ａ）及び図２（ｂ）に表したように、第１端子領域２７ｉは、基板２０の第１主面２０ｐへ投影したときに、第１部分２０ａと重なる。第１領域２７ｅは、第１主面２０ｐへ投射したときに、外側部２０ｅと重なる。
【００２８】
図２（ｃ）は、第２電極膜２８の平面形状（パターン）を例示している。  
この例では、第２電極膜２８をＺ軸方向に貫通する孔２８ｈが設けられている。第２電極膜２８は、第２端子領域２８ｉと、第２領域２８ｅとを含む。
【００２９】
図２（ａ）及び図２（ｃ）に表したように、第２端子領域２８ｉは、基板２０の第１主面２０ｐへ投影したときに、第２部分２０ｂと重なる。第２領域２８ｅは、第１主面２０ｐへ投射したときに、外側部２０ｅと重なる。第２領域２８ｅは、外側部２０ｅと第１領域２７ｅとの間に設けられる。
【００３０】
図２（ａ）〜図２（ｃ）に表したように、外側部２０ｅの外縁２０ｆの形状、第１領域２７ｅの外縁２７ｆの形状、及び、第２領域２８ｅの外縁２８ｆの形状は、例えば、円形である。多角形形状であっても良い。外側部２０ｅの外縁２０ｆの形状、第１領域２７ｅの外縁２７ｆの形状、及び、第２領域２８ｅの外縁２８ｆの形状は、例えば、矩形でも良い。
【００３１】
Ｘ−Ｙ面内に投影したとき、第１端子領域２７ｉ及び第２端子領域２８ｉは、発光装置１２０の中央付近に設けられる。第１電極膜２７から有機層３０へ電子を注入する際、第１端子領域２７ｉから電子を注入することができる。第２電極膜２８から有機層３０へ正孔を注入する際、第２端子領域２８ｉから正孔を注入することができる。
【００３２】
第１電極膜２７から電子を注入する別の方法として、例えば、発光装置の外側部に端子領域を設ける方法がある。例えば、発光装置の外側部に複数の端子領域を形成する。この場合、端子領域が形成された領域は、非発光領域となる。複数の端子領域を形成すると、非発光領域が広くなる場合がある。例えば、端子領域には配線が接続される。これにより、発光装置を照明器具本体に取り付けることが困難になる場合がある。なお、第１電極膜２７と第２電極膜２８とは、絶縁空間の確保または絶縁部材を配置するなどして、絶縁を維持するのが望ましい。
【００３３】
本実施形態に係る発光装置１２０においては、例えば、端子領域が発光装置１２０の中央付近に設けられる。これにより、例えば、端子領域を発光装置の外側部に設ける場合よりも、端子領域の面積を小さくすることができる。非発光領域を縮小することができる。すなわち、発光面積を大きくすることができる。発光装置１２０においては、基板２０をＺ軸方向に貫通する貫通孔が設けられる。これにより、貫通孔を通して、発光装置を照明器具本体に取り付けることができる。発光装置１２０の照明器具本体への取付が容易になる。
【００３４】
本実施形態によれば、発光面積の大きな発光装置が提供される。さらに、発光装置と照明器具本体との取付が容易になる。
【００３５】
図３（ａ）〜図３（ｃ）は、実施形態に係る発光装置を用いた照明器具を例示する模式図である。  
図３（ａ）は、照明器具２２０を例示する透視平面図図である。図３（ｂ）は、図３（ａ）のＣ１−Ｃ２線断面図である。図３（ｃ）は、図３（ａ）のＤ１−Ｄ２線断面図である。
【００３６】
図３（ａ）に表したように、照明器具２２０は、発光装置１２０と、照明器具本体４１と、を含む。照明器具本体４１には、接続部４１ａ（貫通部材）が設けられる。
【００３７】
図３（ｂ）及び図３（ｃ）に表したように、例えば、発光装置１２０の基板２０に設けられた貫通孔２０ｈに、接続部４１ａが接続される。接続部４１ａの少なくとも一部は、貫通孔２０ｈを通過する。貫通孔２０ｈを用いて、発光装置１２０を照明器具本体４１に取り付けることができる。発光装置１２０の照明器具本体４１への取付が容易になる。接続部４１ａに、貫通孔２０ｈを通過した部分に落下防止部を設けることが、さらに望ましい。落下防止部は、例えば、Ｙ軸方向に突出する。落下防止部は、例えば、発光装置１２０と接触する。
【００３８】
例えば、器具本体４１を介して、発光装置１２０へ電流が流される。例えば、器具本体４１は、第１配線４２ａと、第２配線４２ｂとを含む。第１配線４２ａは、例えば、第１端子領域２７ｉと電気的に接続される。第２配線４２ｂは、例えば、第２端子領域２８ｉと電気的に接続される。電気的な接続が容易になる。
例えば、接続部４１ａは、絶縁体である。図３（ａ）に表したように、接続部４１ａは、第１配線４２ａと第２配線４２ｂとの間に配置される。第１配線４２ａと第２配線４２ｂとは、絶縁される。第１電極膜２７と第２電極膜２８とは、絶縁される。
【００３９】
発光装置１２０においては、例えば、端子領域（第１端子領域２７ｉ及び第２端子領域２８ｉ）が発光装置１２０の中央付近に設けられる。これにより、例えば、端子領域を発光装置１２０の外側部に設ける場合よりも、端子領域の面積を小さくすることができる。非発光領域を縮小することができる。すなわち、発光面積を大きくすることができる。
【００４０】
本実施形態によれば、発光面積の大きな照明器具が提供される。さらに、発光装置と照明器具本体との取付が容易になる。
【００４１】
本発明の実施形態によれば、発光面積の大きな照明器具が提供される。そして、発光装置と照明器具本体との取付が容易になる。
【００４２】
なお、本願明細書において、「垂直」及び「平行」は、厳密な垂直及び厳密な平行だけではなく、例えば製造工程におけるばらつきなどを含むものであり、実質的に垂直及び実質的に平行であれば良い。
【００４３】
以上、具体例を参照しつつ、本発明の実施の形態について説明した。しかし、本発明は、これらの具体例に限定されるものではない。例えば、基板、第１電極膜、第２電極膜、発光層を含む有機層、及び、照明器具本体などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【００４４】
その他、本発明の実施の形態として上述した発光装置及び照明器具を基にして、当業者が適宜設計変更して実施し得る全ての発光装置及び照明器具も、本発明の要旨を包含する限り、本発明の範囲に属する。  
その他、本発明の思想の範疇において、当業者であれば、各種の変更例及び修正例に想到し得るものであり、それら変更例及び修正例についても本発明の範囲に属するものと了解される。
【００４５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４６】
２０…基板、  ２０ａ…第１部分、  ２０ｂ…第２部分、  ２０ｅ…外側部、  ２０ｆ…外縁、  ２０ｈ…貫通孔、  ２０ｉ…内側部、  ２０ｐ…第１主面、  ２４…透明封止部材、  ２５…封止体、  ２６…絶縁膜、  ２７…第１電極膜、  ２７ｅ…第１領域、  ２７ｆ…外縁、  ２７ｈ…孔、  ２７ｉ…第１端子領域、  ２８…第２電極膜、  ２８ｅ…第２領域、  ２８ｆ…外縁、  ２８ｈ…孔、  ２８ｉ…第２端子領域、  ３０…有機層、  ３１…正孔輸送層、  ３２…発光層、  ３３…電子輸送層、  ４１…照明器具本体、  ４１ａ…接続部（貫通部材）、  ４２ａ…第１配線、  ４２ｂ…第２配線、  １２０…発光装置、  ２２０…照明器具
【図１】
2015065070.tif 000003
【図２】
2015065070.tif 000004
【図３】
2015065070.tif 000005